(57)【要約】【課題】  提供物品を配布する対象を特定し、特定した者に確実に提供物品を配布して効率的な広告宣伝ができ、スーパーマーケットやコンビニが混雑していても、混雑に影響されずに提供物品を配布することが可能な配布装置を提供する。【解決手段】  筐体と、提供物品を展示する展示部と、提供物品を保管する保管部と、保管部から提供物品を取り出す搬出装置と、搬出装置を制御する制御装置と、制御装置に指令を出す操作部と、操作部を操作する者が操作する資格を有しているか否かの認証を行う認証装置を備えていることを特徴とする。また、展示頒布装置は、抽選機能を有し、所定条件下において抽選を行い、抽選結果に応じて搬出装置の稼働の有無を決定しても良い。また、記録機能も有し、展示頒布装置内部の一部又は全部の機能の操作状況及び稼働状況も記録しても良い。また、展示頒布装置を操作する人数を制限する入場制限装置を備えていても良い。【選択図】  図１
2006072498.tif 000002
【特許請求の範囲】
【請求項１】
試供品等の提供物品を展示・配布する展示頒布装置であって、該展示頒布装置は、筐体と、該提供物品を展示する展示部と、該提供物品を保管する保管部と、該保管部から該提供物品を取り出す搬出装置と、該搬出装置を制御する制御装置と、該制御装置に指令を出す操作部と、該操作部を操作しようとする者が操作する資格を有しているか否かの認証を行う認証装置を備えていることを特徴とする展示頒布装置。
【請求項２】
前記展示部は、前記提供物品を展示する展示スペースを複数有し、前記保管部は、複数の該提供物品を収納可能な収納部が複数設けられていることを特徴とする請求項１に記載の展示頒布装置。
【請求項３】
前記操作装置は、モニターと操作ボタンとを備えていることを特徴とする請求項１又は２に記載の展示頒布装置。
【請求項４】
前記展示頒布装置は、モニターに表示する画面情報を管理する集中装置を備え、該集中装置は、抽選機能を有し、該抽選機能は、所定条件下において抽選を行い、該抽選結果に応じて前記搬出装置の稼働の有無を決定することを特徴とする請求項１〜３のいずれかに記載の展示頒布装置。
【請求項５】
前記集中装置は遊戯機能を有し、所定条件下において前記展示頒布装置の操作者に遊戯を行わせ、該遊戯結果に応じて前記搬出装置の稼働の有無を決定することを特徴とする請求項１〜４のいずれかに記載の展示頒布装置。
【請求項６】
前記制御装置は、記録機能を有し、該記録機能は、前記展示頒布装置内部の一部又は全部の機能の操作状況及び稼働状況を記録することを特徴とする請求項１〜５のいずれかに記載の展示頒布装置。
【請求項７】
前記展示頒布装置は、該展示頒布装置を操作する人数を制限する入場制限装置を備え、該入場制限装置は、入場板と退場板とを備え、該入場板及び該退場板は、操作者の入場及び退場を制限すると共に、操作装置と対峙する操作者のための空間を確保することを特徴とする請求項１〜６のいずれかに記載の展示頒布装置。
【請求項８】
前記展示頒布装置は、認証コードを発行する認証コード発行装置と、発行された該認証コードの正否を判断する認証装置とを備えていることを特徴とする請求項１〜７のいずれかに記載の展示頒布装置。
【請求項９】
前記認証装置は、前記認証コードを入力するための認証コード入力部と、入力された該認証コードの正否を判断する認証部とを有していることを特徴とする請求項１〜８のいずれかに記載の展示頒布装置。
【請求項１０】
前記認証装置は、前記認証コードを読み取るための認証コード読み取り部と、読み取った該認証コードの正否を判断する認証部とを有していることを特徴とする請求項１〜８のいずれかに記載の展示頒布装置。
【発明の詳細な説明】
【技術分野】
【０００１】
本発明は、試供品・販促品・クーポン券・配布ティッシュ・試食品・懸賞品・賞品・チケット等の提供物品を展示して配布する展示頒布装置に関するものであり、店舗・企業等が提供物品の配布を認めた者を正確に認証し、確実に配布することが可能な展示頒布装置に関する。
【背景技術】
【０００２】
販売促進や広告宣伝を目的として、試供品等の提供物品を無料で配布することがある。一般的な広告宣伝は、テレビ・ラジオ・書籍等の媒介を通して消費者の視覚、聴覚に訴え、感覚的なイメージで商品・製品を伝える。これに対して提供品は、実際の商品・製品と同じ内容物を配布し、消費者に実際に使用してもらい、商品・製品の性質や特徴を実感してもらうものである。
【０００３】
この提供物品は、商品・製品の性質や特徴を具体的且つ鮮明に消費者に伝えることができるという特徴を有するが、提供品を使用した者しか商品・製品の性質や特徴を実感することができないという特徴も有している。
【０００４】
この提供物品の配布方法は、駅前、人通りの多い街頭、デパート等の店内や店前で、人手によって配布するか、ラック等に試供品を陳列して自由に取ってもらう方法が一般的な配布方法である。
【０００５】
また、スーパーマーケットやコンビニ等では、販売促進を目的として、購入ポイントを貯めた客や、所定の金額以上の買い物をした客など、店舗や企業が設定した所定条件を満たした客に対して粗品・商品・引換券等の提供品を配布することがある。この時、これらの提供品は、スーパーマーケットやコンビニのレジにおいて配布するのが一般的であった。また、店舗内に空きスペースがある場合は、提供品を配布するための特設場を設けて、配布するなどしていた。
【発明の開示】
【発明が解決しようとする課題】
【０００６】
しかし、ラック等に試供品を陳列して自由に取ってもらう方法は、一人の者や少数の者が全てを持ち帰ってしまい、多数の者に提供品が配布できず、提供品の広告宣伝効果が全く得られないという問題が生じてしまう。これに対し、人手によって配布する場合は手渡しで配布するため、上記問題は生じにくいが、配布者を確保する必要があり、人件費がかかってしまうという問題がある。いずれの場合においても、提供物品を配布して広告宣伝効果を得ようとするには、広範囲において配布しなければならず、宣伝効率が良くないとう問題を有している。
【０００７】
この宣伝効率の問題を解決するには、商品購入が見込める者に提供物品の配布するのが効率的である。例えば、男性用又は女性用化粧品の試供品等を異性に配布しても、宣伝効果は極端に低い。男性用化粧品の試供品は男性に配布し、女性用化粧品の試供品は女性に配布することで効率的に広告効果が得られる。
【０００８】
しかし、ラック等に試供品を陳列する方法は、不特定多数の者が受け取れるため、提供物品を配布する対象を特定することができない。また、人手によって配布する場合は、提供物品の配布者の判断によって配布されるため、提供物品を配布する対象を特定できるが、提供物品を受け取ることができない者にとって不公平感が生じてしまうという問題があった。
【０００９】
また、レジでの精算業務は一般的に時間がかかるため、レジ近辺は混雑しやすい。コンビニの場合は、店舗内の空間を効率的に使用しているため、余剰空間がほとんど無く、レジが混雑すると他の客の通行の妨害になったり、レジ以外の場所でも混乱を生じてしまうという問題を有している。また、スーパーマーケットの場合は、客の購入品目数が多いため、一人の客の精算業務に係る時間が長く、レジには長い列ができやすいという問題を有している。従って、レジにおいて精算業務以外の作業や業務を行おうとすると、レジ周辺における混雑を更に悪化させてしまうという問題がある。
【００１０】
更に、複数種類の提供物品を用意している場合は、提供物品を受け取る者が選択しなければならず、レジが混雑している時などは、列に並んでいる他の客に遠慮して落ち着いて選択できないという問題も生じている。
【００１１】
以上のことから、提供物品を配布する対象を特定することにより、効率的な広告宣伝ができ、スーパーマーケットやコンビニにおいて、レジでの精算業務に支障を与えずに提供物品を配布することが可能な配布装置の開発も望まれていた。
【課題を解決するための手段】
【００１２】
上記課題を解決するために本発明に係る展示頒布装置は、筐体と、提供物品を展示する展示部と、提供物品を保管する保管部と、保管部から提供物品を取り出す搬出装置と、搬出装置を制御する制御装置と、制御装置に指令を出す操作部と、操作部を操作する者が操作する資格を有しているか否かの認証を行う認証装置を備えていることを特徴とする。
【００１３】
また、展示部は、提供物品を展示する展示スペースを複数有し、保管部は、複数の提供物品を収納可能な収納部が複数設けられていることを特徴とする。
【００１４】
また、操作装置は、モニターと操作ボタンとを備えていても良い。
【００１５】
また、展示頒布装置は、モニター内の画面情報を管理する集中装置を備え、集中装置は、抽選機能を有し、抽選機能は、所定条件下において抽選を行い、抽選結果に応じて搬出装置の稼働の有無を決定しても良い。
【００１６】
また、集中装置は遊戯機能を有し、所定条件下において展示頒布装置の操作者に遊戯を行わせ、遊戯結果に応じて搬出装置の稼働の有無を決定しても良い。
【００１７】
また、制御装置は、記録機能を有し、記録機能は、展示頒布装置内部の一部又は全部の機能の操作状況及び稼働状況を記録することを特徴とする。
【００１８】
また、展示頒布装置は、展示頒布装置を操作する人数を制限する入場制限装置を備え、入場制限装置は、入場板と退場板とを備え、入場板及び退場板は、操作者の入場及び退場を制限すると共に、操作装置と対峙する操作者のための空間を確保することを特徴とする。
【００１９】
また、展示頒布装置は、認証コードを発行する認証コード発行装置と、発行された認証コードの正否を判断する認証装置とを備えていても良い。
【００２０】
また、認証装置は、認証コードを入力するための認証コード入力部と、入力された認証コードの正否を判断する認証部とを有していても良い。
【００２１】
また、認証装置は、認証コードを読み取るための認証コード読み取り部と、読み取った認証コードの正否を判断する認証部とを有していても良い。
【発明の効果】
【００２２】
本発明に係る展示頒布装置は、提供物品を受け取ろうとする者がその権利を有しているか否かを認証し、認証を受けた者にのみ提供物品を配布することができるため、提供物品を配布する対象を特定した効率的な広告宣伝を行うことができる。更に、店舗や企業が会員として獲得した特定の顧客のみに限定して提供物品を配布するサービスを行うことができるため、企業イメージが向上する。
【００２３】
更に、認証装置を有しているため、配布者の人手による配布と比べて、不正受給を防止・減少し、正確且つ確実に提供物品を配布することができる。また、受け取る側に不公平感を与えずに配布することができる。
【００２４】
また、コンビニやスーパーマーケットで提供物品を配布する時、レジで認証コードを配布するだけで、確実に提供物品を配布することができるため、レジ周辺の混雑を防ぐことができる。更に、複数の提供物品から選択してもらう場合でも、レジ以外の場所で提供物品を配布することができるため、提供物品を受け取る者が他の客に遠慮することなく落ち着いて選択することができる。
【００２５】
また、本発明に係る展示頒布装置は、展示頒布装置を操作する人数を制限する入場制限装置を設けているため、混雑した状況においても、展示頒布装置を操作する人数を制限して配布することができ、消費者に危険が及ばず安全に提供物品を配布することができる。
【発明を実施するための最良の形態】
【００２６】
本発明に係る展示頒布装置２について、図を参照にしながら説明する。図１及び図２は、本発明に係る展示頒布装置２の一実施の形態を示した説明図であり、図３は、本発明に係る展示頒布装置２の内部構造を簡略化して示した説明図である。なお、これらの図は説明の便宜上のためのものであり、本発明を何ら限定するものではない。
【００２７】
本発明に係る展示頒布装置２は、筐体４と、提供物品４８を展示する展示部６と、提供物品４８を保管する保管部１０と、保管部１０から提供物品４８を取り出す搬出装置１４と、搬出装置１４を制御する制御装置１６と、制御装置１６に指令を出す操作装置１８と、操作部を操作する者が操作する資格を有しているか否かの認証を行う認証装置３６を備えていることを特徴とする。
【００２８】
ここで、本発明に係る提供物品４８とは、企業や店舗が広告宣伝、商品紹介等を目的として消費者に無料又は正規価格よりも安価にて配布・提供する物品のことである。本文中で使われている提供物品４８は、基本的に試供品、販売促進品と呼ばれる無料で配布される物品が好ましいが、他にも一般的に販売されている商品・製品や、一般には販売されていない物品等でも良く、提供物品４８の定義については適宜設定すれば良い。また、本文中で使われている消費者とは、提供物品４８を受け取る者とする。また、展示頒布装置２の操作者は、展示頒布装置２を操作して提供物品４８を受け取る者とする。
【００２９】
展示部６は、提供物品４８を展示する部位であり、消費者が展示頒布装置２の外側から提供物品４８を視認できる構造が良い。展示部６の構造の一例としては、提供物品４８を展示できる個別の展示スペース８を設け、この展示スペース８内を視認できるように、展示スペース８の側面又は天井部にガラス・アクリル等を設けるのが良い。また、この展示部６は、図１に示されているように、複数の提供物品４８を展示できるように複数の展示スペース８を有しているのが良い。図中では、展示スペース８が９つ設けられているが、展示スペース８の設置数、形状、大きさ、設置位置などは、種々の条件を考慮して適宜設定すれば良い。また、展示部６には、消費者に配布する提供物品４８の実物を展示しても良いし、展示用見本５２を展示しても良く、適宜設定すれば良い。
【００３０】
また、保管部１０は、複数の提供物品４８を保管できる部位とする。この保管部１０は、展示頒布装置２内部に設けられているのが良いが、展示頒布装置２外側から保管状況及び提供物品４８の残存数を確認できるように設けられていても良い。また、展示部６と保管部１０が一体となっていも良く、保管部１０の構造は適宜設定すれば良い。また、保管部１０には複数の収納部１２が設けられており、各収納部１２は各展示スペース８と対応している。収納部１２の形状としては図３に示されたように、ベルトコンベアを設け、このベルトコンベアを収納部１２としても良い。このベルトコンベアに提供物品４８を積載し、ベルトコンベアを回転させれば、提供物品４８がベルトコンベア上を移動してベルトコンベア端部から落下する。落下した提供物品４８を展示頒布装置２の取り出し口５０に移送すれば、提供物品４８を配布することができる。この様に、保管部１０と搬出装置１４が一体又は連結した構造であっても良く、提供物品４８を破損することが無く長期間保管することができ、搬出装置１４によって提供物品４８が収納部１２から取り出し容易であれば、保管部１０及び収納部１２の形状・構造は、種々の条件を考慮して適宜設定すれば良い。
【００３１】
また、搬出装置１４は、保管部１０内に収納されている提供物品４８を展示頒布装置２外に搬出する装置を指す。搬出装置１４としては図３に示されたように、ベルトコンベア及びベルトコンベア端部に上下動可能なバケットを設けても良い。この搬出装置１４は、提供物品４８を搬出する時、選択された提供物品４８が展示されている展示スペース８と対応するベルトコンベアを回転させると共に、稼働中のベルトコンベアの端部近傍にバケットを移動させる。ベルトコンベア上を移動した提供物品４８は、ベルトコンベア端部から落下してバケットに移動する。バケットに乗った提供物品４８は、取り出し口５０まで搬出される。また、バケットを設けずに、ベルトコンベア端部から落下した提供物品４８が取り出し口５０まで誘導されるようにスロープ等を設けても良い。この他にも、保管部１０から提供物品４８を容易に取り出すことができ、搬出中に提供物品４８を破損することが無ければ、搬出装置１４は、保管部１０の形状・構造等を考慮して最適な構造・手段を適宜設定すれば良い。
【００３２】
また、制御装置１６は、搬出装置１４を制御する装置又は機能を指す。搬出装置１４が図３に示されたベルトコンベア及びバケットを用いたものであった場合、ベルトコンベア及びバケットの両方の動作を制御する。この制御装置１６は、展示頒布装置２内部の他の装置と独立して設けられていても良いが、搬出装置１４と一体に設けられても良いし、操作装置１８と一体に設けられても良い。また、制御装置１６が他の装置の機能の一部であっても良く、その形態については特に限定しない。
【００３３】
また、操作装置１８は、消費者が展示頒布装置２内部の提供物品４８を受け取るために操作するための装置又は機能を指し、この操作装置１８からの指令によって制御装置１６及び搬出装置１４が稼動する。図１中では、操作装置１８が展示頒布装置２から突出して設けられているが、展示頒布装置２側面と同一面上に設けられていても良い。また、この操作装置１８は、モニター２０と操作ボタン２２が備えられているのが良い。モニター２０及び操作ボタン２２の形状、構造、種類、設置数、設置位置等の条件については、特に限定せず、種々の条件を考慮して適宜設定すれば良い。例えば、図１に示されているように、モニター２０と操作ボタン２２が別々に設けられていても良いし、モニター２０内に操作ボタン２２が表示されるタッチパネル式でも良い。また、操作ボタン２２も図示されているような押しボタンのみに限らず、レバー、スティック、コントローラ等を設けても良い。
【００３４】
また、操作装置１８を操作しようとする者が、操作する資格を有しているか否かの認証を行う認証装置３６を備えていても良い。認証装置３６は、操作者に認証コード４６を入力させるための認証コード入力部４２、又は、認証コード４６を読み取る認証コード読み取り部４４を備え、入力された又は読み取った認証コード４６の正否を判断する認証部３８を備えている。この認証装置３６を設けることにより、不特定多数の者に無条件で大量に提供物品４８を配布せず、提供物品４８を配布する側が特定した者にのみ提供物品４８を配布することができるため、効率的に広告宣伝効果を得ることができる。
【００３５】
認証方法については、図１に示されているように、認証コード４６を入力する認証コード入力部４２を設け、提供物品４８を受け取ろうとする者が認証コード４６を入力し、入力された認証コード４６の正否を認証部３８が判断する方法でも良い。この時、認証装置３６に予め正しい認証コード４６を記録し、入力された認証コード４６が記録された正しい認証コード４６と一致した時、記録から消去しても良い。これにより、同一の認証コード４６の複数使用が不可能となり、提供物品４８を受け取る資格を持たない者の適当な操作による不正受給等を防止することができる。認証コード入力部４２を設けた時の認証コード４６としては、図７に示されたように０〜９までの数字とアルファベット等を任意に組み合わせるのが良いが、認証コード入力部４２の形態、構造等を考慮して適宜設定すれば良い。また、認証コード入力部４２としては、図１に示されている様に、ボタン式が良いが、モニター２０内にボタンが表示されるタッチパネル式でも良く、適宜設定すれば良い。
【００３６】
また、図２に示されているように、認証コード４６を読み取る認証コード読み取り部４４を設け、提供物品４８を受け取ろうとする者が、カードや紙類等に記録された認証コード４６を読み取らせ、読み取った認証コード４６の正否を認証部３８が判断する方法でも良い。この時の認証コード４６としては、０〜９までの数字とアルファベット等を任意に組み合わせたもの良いが、図８に示されたように１次元バーコード、２次元バーコード、３次元バーコード等の各種バーコードを用いても良い。また、カード類を使用する場合は、磁気情報、ＩＣチップ、ホログラム等に認証コード４６を記録しても良い。この他にも、各種カードに記録された、来店ポイントや購入ポイントといった各店舗が独自に設定しているポイント等を認証コード４６とし、ポイントの有無又は累積ポイント数に応じて認証コード４６の正否を判断しても良い。また、予め提供物品４８を受け取ろうとする者の指紋、目の虹彩や網膜のパターン、血管等を認証装置３６に登録し、操作装置１８を操作する時に認証を行っても良い。また、認証コード読み取り部４４の形態、手段、構造についても、図２に示された様に、カードを差し込んで認証コード４６を読み取るタイプであっても良いし、図９の（ａ）に示されたように、店舗が配布したコイン等を挿入するタイプであっても良い。更に、図９の（ｂ）に示されたように、バーコードやホログラム等を読み取る読み取り装置が設けられていても良く、認証コード４６及び認証コード読み取り部４４の形態については、種々の条件を考慮して適宜設定すれば良い。
【００３７】
また、展示頒布装置２には、認証コード４６を発行する認証コード発行部４０が設けられていても良い。本発明に係る認証コード発行部４０は、認証コード４６を発行する装置、機械等の全てを指すものとする。認証コード発行部４０の形態、構造については認証コード４６の種類に応じて適宜設定すれば良い。また、認証コード発行部４０は、筐体４に接して設けられている必要は無く、展示頒布装置２から離れて設けられていても良い。また、その他の装置、機械の一部に設けられていても良い。例えば、図６に示された様に、展示頒布装置２とは離れた場所に設置されたレジのレシート発行部に認証コード発行部４０を設け、レシート発行時にレシートの一部に認証コード４６を印刷しても良い。
【００３８】
また、展示頒布装置２には、モニター２０に表示される画面情報を管理する集中装置２４を備えていても良い。画面情報とは、操作状況、操作誘導に関する情報、各装置の可動状況等に関する各種情報であり、モニター２０に表示されるものの全てを指す。集中装置２４は、操作装置１８の一部として設けられていても良いが、独立して設けられても良い。また、制御装置１６の一部としても設けられていても良く、集中装置２４の形態については適宜設定すれば良い。
【００３９】
また、集中装置２４は、抽選機能を有していても良い。この抽選機能は、所定条件下において抽選を行い、抽選結果に応じて搬出装置１４の稼働の有無を決定する機能である。つまり、展示頒布装置２を操作した時に抽選を行い、抽選に当選した者のみ提供物品４８の受け取りが可能となる。この抽選機能を設けることにより、展示頒布装置２に遊戯性、趣向性を持たせることができる。また、用意した提供物品４８の数よりも、提供物品４８の受け取りを希望する者の数が多かった時に、不公平感を与えずに提供物品４８を配布することも可能となる。
【００４０】
また、集中装置２４は、遊戯機能を有していても良い。この遊戯機能は、所定条件下において展示頒布装置の操作者に遊戯を行わせ、遊戯結果に応じて搬出装置の稼働の有無を決定する機能である。遊戯機能を設けることにより、単純に提供物品４８を配布するよりも、趣向性、射幸性を持たせることができる。遊戯の内容としては、モニター２０内で何らかのゲームを行い所定条件をクリアーすると提供物品４８を配布したりしても良い。また、上記抽選機能と組み合わせ、モニター２０内でくじ引きやギャンブル性を有したゲームを行い、その結果に応じて提供物品４８を配布しても良く、遊戯の内容は適宜設定すれば良い。
【００４１】
また、展示頒布装置２又は展示頒布装置２内部のいずれかの装置は記録機能を有していても良い。この記録機能は、展示頒布装置２内部の一部又は全部の装置の操作状況、稼働状況等を記録することが可能なものである。この記録機能を設け、展示頒布装置２の稼働状況を記録することにより、展示されている提供物品４８が選択される頻度や人気度等の各種情報を収集することができ、商品化したときの商品の販売予測といったマーケティングに反映することができる。
【００４２】
また、展示頒布装置２は、展示頒布装置２を操作する人数を制限することが可能な入場制限装置２６を備えていても良い。入場制限装置２６は、展示頒布装置２を操作する者の入場及び退場を制限すると共に、操作装置と対峙する操作者のための操作スペース３４を確保することができれば更に良い。図１及び図２では、入場制限装置２６として、筐体４に入場板２８と退場板３０とを備えている。この入場板２８と退場板３０は、筐体４との基部近傍において折り曲げが可能で開閉する構造となっている。
【００４３】
この入場制限装置２６は、認証装置３６と連動し、操作者が入場する時は、認証コード入力部４２または認証コード読み取り部４４で認証コード４６を入力又は読み取り、認証部３８において認証コード４６が正しいと判断されると入場板２８が開く仕組みになっている。所定人数が入場した時又は所定時間が経過すると、入場板２８及び退場板３０が閉じて他の者の入場を防止する。展示頒布装置２の操作が終了すると、退場板３０が開く。入場制限装置２６は、入場板２８及び退場板３０に限らず、ロープ、扉、シャッター等を使用しても良い。また、展示頒布装置２を操作する者の入場及び退場を誘導、制限、管理することができ、入場制限装置２６の作動によって操作者に危害が及ばなければ、どのような構造・手段を用いても良い。
【００４４】
次に、本発明に係る展示頒布装置２を利用した提供物品４８の配布方法について説明する。図５は、本発明に係る展示頒布装置２を利用した提供物品４８の配布方法の一例を示したフローチャートである。なお、図５は、認証コード入力部４２が設けられた場合のフローチャートであるが、認証コード読み取り部４４が設けられた場合は、図中の認証コード入力が認証コード読み取りとなる。
【００４５】
展示頒布装置２を操作する者は、認証コード入力部４２において認証コード４６の入力を行う。認証部３８によって認証コード４６が正しいと判断された時は、入場板２８が開き操作スペース３４へと入場する。同時に操作装置１８及び集中装置２４がモニター２０及び操作ボタン２２を初期化し、モニター２０に初期画面を表示する。この初期画面は、展示頒布装置２の遊戯方法の説明、各ボタンを説明する説明、遊戯促進等の各種情報や映像である。これらの他にも、各提供物品４８を紹介する広告映像等を表示しても良い。入力された認証コード４６が誤っていた時は、再度認証コード４６の入力・読み取りを促すか、何も起こらない。
【００４６】
次に、操作装置１８のモニター２０に表示されている操作説明画面に従って、操作者が欲する提供物品４８が展示している展示スペース８の番号を選択する。操作者が希望の番号のボタンを押した時、その番号の提供物品４８の在庫数を確認し、在庫数がある時は、選択決定の確認画面を表示する。在庫数がない時は、別の番号を選択することを促すよう、再度選択促進画面を表示する。操作者の選択が決定すると、抽選機能によって抽選が行われ、モニター２０に抽選結果が表示される。
【００４７】
抽選に当選した時は、展示頒布装置２の取り出し口５０に提供物品４８が搬出され、操作者は提供物品４８を受け取る。この時の当選確率は、適宜設定できるものとする。当選を伝える抽選結果をモニター２０に表示すると共に、選択された番号の提供物品４８を搬出するために、制御装置１６に信号を送信する。搬出装置１４が提供物品４８を取り出し口５０まで搬出させると、モニター２０に操作者に退場を促す画面を表示し、入場制御装置１６の退場板３０を開く信号を送信する。
【００４８】
抽選に落選した時は、落選を伝える抽選結果を表示し、操作者に退場を促す画面を表示し、入場制御装置１６の退場板３０を開く信号を送信する。
【００４９】
以上が、本発明に係る展示頒布装置２についての説明であるが、本発明の目的を逸脱しない限り、種々の設定等は変更が可能である。例えば、展示頒布装置２に広告宣伝用モニターを設け、提供物品４８及び商品等の広告宣伝を行っても良い。また、提供物品４８の選択決定前にモニター２０内でアンケートを行い、アンケートに答えた後、提供物品４８の選択を行う行程を設けても良く、展示頒布装置２に設けられる装置、機能に応じて各種操作行程を設けても良い。
【図面の簡単な説明】
【００５０】
【図１】本発明に係る展示頒布装置の一実施の形態を示した説明図である。
【図２】本発明に係る展示頒布装置の一実施の形態を示した説明図である。
【図３】本発明の展示頒布装置の内部構造を簡略化して示した説明図である。
【図４】本発明の保管部及び搬出装置の一実施の形態を示した説明図である。
【図５】本発明に係る展示頒布装置を操作して提供物品を受け取るまでの流れを示したフローチャート図である。
【図６】本発明に係る展示頒布装置の一実施の形態を示した説明図である。
【図７】本発明に係る認証コードの一例を示した説明図である。
【図８】本発明に係る認証コードの一例を示した説明図である。
【図９】本発明に係る認証コード読み取り部の一例を示した説明図である。
【符号の説明】
【００５１】
２  展示頒布装置
４  筐体
６  展示部
８  展示スペース
１０  保管部
１２  収納部
１４  搬出装置
１６  制御装置
１８  操作装置
２０  モニター
２２  操作ボタン
２４  集中装置
２６  入場制限装置
２８  入場板
３０  退場板
３４  操作スペース
３６  認証装置
３８  認証部
４０  認証コード発行部
４２  認証コード入力部
４４  認証コード読み取り部
４６  認証コード
４８  提供物品
５０  取り出し口
５２  展示用見本
【図１】
2006072498.tif 000003
【図２】
2006072498.tif 000004
【図３】
2006072498.tif 000005
【図４】
2006072498.tif 000006
【図５】
2006072498.tif 000007
【図６】
2006072498.tif 000008
【図７】
2006072498.tif 000009
【図８】
2006072498.tif 000010
【図９】
2006072498.tif 000011